(57)【要約】      （修正有）【課題】ストラップのヘッドへの挿入に対する抵抗を小さくすると同時に、ストラップのヘッドからの後退に対する抵抗を大きくする。【解決手段】高性能ケーブルタイ１０は、細長いストラップ１５と、ストラップ１５の一端部から延出したヘッド４２とを備える。ストラップ１５及び爪の歯はそれぞれ、ストラップ１５をヘッド４２に挿入する間に互いに係合する凸部分を有する。ストラップ１５及び爪の歯はそれぞれ、互いに係合してストラップ１５のヘッド４２からの後退を阻止する平坦部分も有する。ストラップ１５及び爪歯の長手方向間隔が同等である。爪の、通路の出口端部及びそれに最も近い爪歯の間の表面が凹部分を有し、ストラップ１５のヘッド４２からの後退に応答して爪が回動するとき、この凹部分が、対向するストラップ歯の凸部分に係合する。爪のこの回動は、ヘッド４２の内側面に係合するヒールによって制限される。【選択図】図１
2005187070.tif 000002
【特許請求の範囲】
【請求項１】
細長い物品を結束するケーブルタイであって、
対向する自由端部及び基端部を有する細長いストラップであって、さらに、長手方向中心軸を有して、該中心軸が中心面上に含まれるようにループ状に変形可能である、細長いストラップを備え、
該ストラップは、主グリップ面、及びそれから延出した横ストラップ歯を有し、該ストラップ歯は、前記主グリップ面の前記隣接部分に垂直である平坦部分を有する外周によって画定された横断面を有し、前記ストラップ歯の前記外周は、凸部分をさらに有しており、さらに、
前記ストラップの前記基端部から延出した基部を有するヘッドであって、それにより、前記ストラップ歯の前記平坦部分は該ヘッドに面し、該ヘッドは、対向する入口及び出口端部を設けた通路を有し、それにより、前記ストラップの前記自由端部を前記入口端部から前記通路内に挿入し、前記出口端部を通って前記通路から出すことができ、前記通路は、前記中心面に含まれる長手方向中心軸を有する、ヘッドを備えており、
前記ヘッドは、前記ベースの内側面にたわみ可能に連結された爪を有し、それにより、前記爪は前記通路に隣接しており、また、前記爪は、初期ロック位置に付勢されて、その位置から挿入位置に移動可能であり、
前記爪は、グリップ面、及びそれから延出した爪歯を有し、それにより、前記爪が前記初期ロック位置にあるとき、前記爪歯は前記通路内に入り、前記爪が前記挿入位置にあるとき、前記爪は前記通路から退去しており、
前記爪歯は、前記爪が前記初期ロック位置にあるときに前記通路の前記中心軸に垂直である平坦部分を有する外周によって画定される横断面を有し、前記爪歯の前記外周は、凸部分をさらに有し、前記爪が前記初期ロック位置にあるとき、前記爪歯の前記平坦部分が前記出口端部に面するように、前記爪歯の前記通路に対する向きが定められており、
前記ストラップが前記入口端部から前記通路内へ十分に挿入されたとき、前記ストラップ歯の前記凸部分が前記爪歯の前記凸部分に係合するように、前記爪の前記通路に対する向きが定められており、前記ストラップが前記通路内へ十分にさらに挿入されることにより、前記爪が前記挿入位置へ移動して、その位置で前記ストラップ歯の前記平坦部分は、長手方向において前記爪歯の前記平坦部分及び前記通路の前記出口端部間に位置し、それにより、前記付勢が前記爪を前記初期ロック位置に戻し、その位置で前記ストラップ歯及び前記爪歯の前記平坦部分が互いに当接し、それによって前記ストラップが前記通路内を前記入口端部に向かう方向に後退するのを阻止する、ケーブルタイ。
【請求項２】
前記ストラップ歯の前記凸部分の前記外周は、四分円の形状を有する、請求項１に記載のケーブルタイ。
【請求項３】
前記爪歯の前記凸部分の前記外周は、正弦波の一部分の形状を有する、請求項１に記載のケーブルタイ。
【請求項４】
前記ストラップ及び爪の歯は、それぞれ第１ストラップ歯及び爪歯を構成し、
該ケーブルタイはさらに、前記主グリップ面から延出する第２ストラップ歯を有し、該第２ストラップ歯は、前記主グリップ面の前記隣接部分に垂直である平坦部分を有する外周によって画定される横断面を有し、前記第２ストラップ歯の前記外周は、凸部分をさらに有し、前記第２ストラップ歯の前記平坦部分が前記ヘッドに面するように、前記第２ストラップ歯の前記ストラップに対する向きが定められており、
該ケーブルタイはさらに、前記爪の前記グリップ面から延出する第２爪歯を有し、それにより、前記爪が前記初期ロック位置にあるとき、前記第２爪歯は前記通路内に入り、前記爪が前記挿入位置にあるとき、前記第２爪歯は前記通路から退去しており、
前記第２爪歯は、前記爪が前記初期ロック位置にあるときに前記通路の前記中心軸に垂直である平坦部分を有する外周によって画定される横断面を有し、前記第２爪歯の前記外周は、凸部分をさらに有し、前記爪が前記初期ロック位置にあるとき、前記第２爪歯の前記平坦部分が前記出口端部に面するように、前記第２爪歯の前記通路に対する向きが定められており、
前記第１及び第２爪歯の前記平坦部分は、その前記平坦部分に垂直な方向に、前記第１及び第２ストラップ歯の前記平坦部分間の、その前記平坦部分に垂直な方向の距離と同等である距離だけ互いに離れている、請求項１に記載のケーブルタイ。
【請求項５】
さらに、それぞれ前記主グリップ面から延出した複数のストラップ歯を備えており、該ストラップ歯はそれぞれ、前記主グリップ面の前記隣接部分に垂直である平坦部分を有する外周によって画定された横断面を有し、前記ストラップ歯の前記外周はそれぞれ、凸部分をさらに有し、前記ストラップ歯の前記平坦部分がそれぞれ前記ヘッドに面するように、前記ストラップ歯の前記ストラップに対する向きが定められており、前記隣接対の前記ストラップ歯の前記平坦部分は、その前記平坦部分に垂直な方向に同等距離だけ互いに離れている、請求項１に記載のケーブルタイ。
【請求項６】
前記爪の前記初期ロック位置及び前記挿入位置間の前記移動は、前記爪及び前記基部の前記たわみ可能な連結部分を中心とした前記爪の回動によって行われる、請求項１に記載のケーブルタイ。
【請求項７】
前記ストラップを前記通路に挿入するとき、前記主グリップ面の前記基端部及び前記出口端部間の部分全体が前記中心面に垂直になるように、前記ストラップの前記ヘッドに対する向きが定められる、請求項１に記載のケーブルタイ。
【請求項８】
細長い物品を結束するケーブルタイであって、
対向する自由端部及び基端部を有する細長いストラップであって、さらに、長手方向中心軸を有して、該中心軸が中心面上に含まれるようにループ状に変形可能である、細長いストラップを備え、
該ストラップは、主グリップ面、及びそれから延出した横ストラップ歯を有し、該ストラップ歯は、前記主グリップ面の前記隣接部分に垂直である平坦部分を有する外周によって画定された横断面を有し、前記ストラップ歯の前記外周は、凸部分をさらに有し、また、前記ストラップは、前記主グリップ面と反対の位置に補助グリップ面を有しており、さらに、
前記ストラップの前記基端部から延出した基部を有するヘッドであって、それにより、前記ストラップ歯の前記平坦部分は該ヘッドに面し、該ヘッドは、対向する入口及び出口端部を設けた通路を有し、それにより、前記ストラップの前記自由端部を前記入口端部から前記通路内に挿入し、前記出口端部を通って前記通路から出すことができ、前記通路は、前記中心面に含まれる長手方向中心軸を有する、ヘッドを備えており、
前記ヘッドは、前記ベースの内側面にたわみ可能に連結された爪を有し、それにより、前記爪は前記通路に隣接しており、また、前記爪は、初期ロック位置に付勢されて、その位置から補足ロック位置に移動可能であり、前記爪はさらに、前記初期ロック位置からその位置に付勢され、
前記爪は、グリップ面、及び前記爪の前記グリップ面から延出した爪歯を有し、それにより、前記爪が前記初期及び補足ロック位置にあるとき、前記爪歯は前記通路内に入り、前記爪が前記挿入位置にあるとき、前記爪は前記通路から退去しており、
前記爪歯は、前記爪が前記初期ロック位置にあるときに前記通路の前記中心軸に垂直である平坦部分を有する外周によって画定される横断面を有し、前記爪が前記初期ロック位置にあるとき、前記爪歯の前記平坦部分が前記出口端部に面するように、前記爪歯の前記通路に対する向きが定められており、前記爪の前記グリップ面は、前記爪歯の前記平坦部分及び前記出口端部間に凹部分を有し、
前記ヘッドは、前記通路の、前記爪と向き合う側部を画定する平坦な支持面を有し、それにより、前記ストラップが前記入口端部から前記通路内へ十分に挿入されたとき、前記爪は前記補足ロック位置に付勢され、その位置で、前記爪の前記グリップ面の前記凹部分が前記ストラップの前記主グリップ面の前記凸部分に強制的に係合し、それにより、前記ストラップの前記補助グリップ面が前記支持面に係合する位置へ付勢され、それによって前記ストラップの前記後退に対する摩擦抵抗を与えるようにした、ケーブルタイ。
【請求項９】
前記爪の前記凹部分は、前記ストラップ歯の前記凸部分の曲率に対応する曲率を有する、請求項８に記載のケーブルタイ。
【請求項１０】
前記ストラップの前記補助グリップ面には、前記爪が前記補足ロック位置に押し付けられ、それによって前記ストラップに強制的に係合するとき、前記支持面との前記係合を行う平坦部分が設けられている、請求項８に記載のケーブルタイ。
【請求項１１】
前記初期ロック位置から前記補足ロック位置への前記爪の前記移動は、前記爪及び前記基部の前記たわみ可能な連結部分を中心にした前記爪の回動によって行われる、請求項８に記載のケーブルタイ。
【請求項１２】
細長い物品を結束するケーブルタイであって、
対向する自由端部及び基端部を有する細長いストラップであって、さらに、長手方向中心軸を有して、該中心軸が中心面上に含まれるようにループ状に変形可能であり、また、主グリップ面を有する細長いストラップと、
前記ストラップの前記基端部から延出した基部を有するヘッドであって、対向する入口及び出口端部を設けた通路を有し、それにより、前記ストラップの前記自由端部を前記入口端部から前記通路内に挿入し、前記出口端部を通って前記通路から出すことができ、前記通路は、前記中心面に含まれる長手方向中心軸を有する、ヘッドと、
を備えており、
前記ヘッドは、前記ベースの内側面にたわみ可能に連結された爪を有し、それにより、前記爪は前記通路に隣接しており、また、前記爪は、初期ロック位置に付勢されて、その位置から補足ロック位置に移動可能であり、前記爪はさらに、前記初期ロック位置からその位置に付勢され、また、前記爪は、ヒールを有し、前記爪が前記初期ロック位置から前記補足ロック位置へ移動するとき、前記ヒールの一部分が前記基部に係合する位置へ移動し、それによって、前記補足ロック位置を超える前記爪の前記移動を阻止し、また、前記爪は、前記通路の側部を画定するグリップ面を有しており、
前記ヘッドは、前記通路の、前記爪の前記グリップ面によって画定されたそれの前記側部と向き合う側部を画定する支持面を有し、それにより、前記ストラップが前記入口端部から前記通路内へ十分に挿入されたとき、前記爪が前記初期ロック位置に付勢され、その位置で、前記爪の前記グリップ面が前記ストラップの前記主グリップ面に強制的に係合し、それにより、前記ストラップが前記支持面に係合する位置へ付勢され、それによって前記ストラップの前記後退に対する摩擦抵抗を与え、また、前記ストラップの前記後退はさらに、前記爪を前記初期ロック位置から前記補足ロック位置へ移動させ、それにより、前記ストラップを前記支持面にますます押し付けて前記摩擦抵抗を増大させ、ここで、前記補足ロック位置を超える前記爪の前記移動は、前記ヒールの前記部分が前記基部に係合することによって阻止される、ケーブルタイ。
【請求項１３】
前記爪の前記初期ロック位置から前記補足ロック位置への前記移動は、前記爪及び前記基部の前記たわみ可能な連結部分を中心とした前記爪の回動によって行われる、請求項１２に記載のケーブルタイ。
【発明の詳細な説明】
【技術分野】
【０００１】
本発明は、包括的にはケーブルタイに、特に、ストラップ及びヘッドを有して、それらが協働してヘッド内へのストラップの挿入及びその内部でのストラップの保持を容易にする、ケーブルタイに関する。
【０００２】
ケーブルタイは、電線やケーブルなどの一群の物品の結束または固定に使用される。従来構造のケーブルタイは、ケーブルタイヘッド及びそれから延出した細長いストラップを有する。ストラップを物品束に巻き付けてから、ヘッド内の通路に挿入する。ケーブルタイのヘッドは通常、通路内に延出するロック部材を支持して、ストラップを通路内へ挿入することができるが、それからのストラップの後退を防止する。それにより、ストラップの２つの長手方向に分離した部分がヘッドに固定され、それにより、ストラップの一部分がループ状になって、物品群を結束することができる。
【０００３】
使用する際は、結束者がタイを結束すべき物品の周囲に手動で巻き付け、ストラップを通路ヘッドに挿入し、タイを束の周囲に手動で締め付ける。ケーブルタイ工具によって、ケーブルタイをさらに締め付け、それによってケーブルタイのストラップの張力を増加させてもよい。
【０００４】
ストラップの自由端部をケーブルタイのヘッドの通路に挿入するとき、そのような挿入は、ヘッドの内部構造による抵抗を受けるであろう。これは通常、さまざまな理由から、特に、多くのケーブルタイを取り付けることに起因し得る使用者の疲れから望ましくない。多数のケーブルタイの取り付けが一般的である。また、使用者は、同時に細長い物品を束ね集めて、ストラップをヘッドの通路に挿入することによってそれにケーブルタイを取り付けるために、両手を使用する必要があるであろう。特に使用者が同時に物品束を集めて保持しようとしている場合、ヘッドの内部構造の抵抗を受けると、ストラップのそのような挿入が困難であろう。
【０００５】
また、ケーブルタイは一般的に、ヘッドの通路を通してストラップを後退させるために相当な力を必要とする。しかし、上述したように、ストラップの挿入に対しては最小の抵抗が望ましい。通路を通るストラップの移動に対してそのような選択的な抵抗を加える機構をヘッドに設けることは困難であることがわかっている。その機構を内部に支持するヘッド内の通路が比較的小さい寸法であること、及びその機構によってストラップが内部を移動するために十分な空間を通路内に与えるという要件によって、この困難さが増大する。
【０００６】
［発明の概要］
本発明の高性能ケーブルタイは、ストラップを有するケーブルタイであって、ストラップがヘッド内に、ヘッド内へのストラップの挿入及びその内部でのストラップの保持を容易にする形状を有する歯及び爪によって保持される、ケーブルタイに関する。
【０００７】
本発明の高性能ケーブルタイは、細長いストラップと、ストラップの一端部から延出したヘッドとを備える。ヘッドに通路が設けられ、その通路にストラップの自由端部が挿入され、それにより、ストラップの一部分がループ状になって、一群の細長い物品を横方向に取り囲むことができる。ストラップを通路内で並進させて、ループ状ストラップによって取り囲まれる面積を減少させ、それにより、物品を密に結束する。通路を通るストラップの後退は、ストラップの片面に形成された横ストラップ歯、及びヘッドの内部にたわみ可能に取り付けられた爪から延出した横爪歯の係合によって妨害される。
【０００８】
ストラップ及び爪の歯はそれぞれ、ストラップをヘッドの通路に挿入する間、互いに係合する凸部分を有する。この係合により、それぞれの凸部分が互いに接線接触して滑る。そのような滑り接触の結果として、ストラップをそのように通路に挿入することに対する摩擦抵抗が生じる。そのような摩擦抵抗は、凸部分間に限定的な接触表面積を与える接線接触によって減少させられる。
【０００９】
ストラップ及び爪の歯はそれぞれ、ヘッドからのストラップの後退を阻止するために互いに係合する平坦部分を有する。ストラップ及び爪の歯の長手方向間隔が同等であって、多数対のストラップ及び爪の歯の係合を可能にし、それによって、ヘッドからのストラップの後退を阻止する。そのため、歯の数を増加させ、それによって抵抗力を増大させることにより、ヘッドからのストラップの後退に対する抵抗が得られる。
【００１０】
爪の、通路の出口端部及びそれに最も近い爪歯間の表面に凹部分が設けられ、ヘッドからのストラップの後退に応答して爪が回動するとき、凹部分が対向位置のストラップ歯の凸部分に係合する。この凹凸部分の係合により、ストラップが通路の側部に押し付けられて、通路の側部に接したストラップの滑りに抵抗する摩擦力が増大する。ヘッドからのストラップの後退は通常、通路の側部に接したストラップの滑りを伴うので、このように増大した摩擦力は、そのような後退に対する抵抗を増大させる。
【００１１】
ヘッドからのストラップの後退によって生じる爪の回動は、ヘッドの内側面に係合するヒールによって制限される。このヒールの係合により、爪の回動が、ケーブルタイに通常に使用される材料の可撓性によって一般的に与えられる角変位の範囲内に維持される。
【００１２】
本発明の上記及び他の特徴は、本発明の特定の実施形態の以下の説明を添付の図面と合わせて考えることから、より十分に理解されるであろう。
【００１３】
［発明の詳細な説明］
幾つかの図面を通して、同一の参照番号が同一の部品を表す。
【００１４】
図面を、特に図１〜図５を参照すると、ワイヤまたはケーブルなどの一群の細長い物品１２を結束するための高性能ケーブルタイ１０が示されている。
【００１５】
ケーブルタイ１０は、対向する自由端部及び基端部１７、２０を有する細長いストラップ１５を備える。ストラップ１５は、自由端部１７につながった末端部分２２と、基端部２０につながった歯付き部分２５とを有する。末端及び歯付き部分２２、２５は、それぞれの長手方向中心軸２７、２９を有し、軸２７、２９が中心面３０上に含まれるような向きになっている。歯付き部分２５は、また、可能な実施形態では末端部分２２も、それぞれの軸２７、２９が中心面３０上に含まれるようにして横方向に変形可能である。ストラップ１５が変形しないとき、末端及び歯付き部分２２、２５のそれぞれの中心軸２７、２９は、図２及び図４に示されているように、互いに傾斜している。
【００１６】
末端部分２２は、その両面に、図１及び図３に示されている横突起３１、３２を有し、それにより、ユーザの手の、一般的に親指及び人差し指の間にそれを把持しやすくするための凹凸面を提供する。
【００１７】
歯付き部分２５は、両側の主及び補助グリップ面３３、３４を有する。多数の横ストラップ歯３５がそれぞれ、主グリップ面３３から延出している。ストラップ歯３５の数は、単一のストラップ歯ほどの少ないものから多数のそのようなストラップ歯まで変化させることができる。各ストラップ歯３５は、主グリップ面３３の隣接部分に垂直な平坦部分３７を有する外周によって画定される横断面を有する。各ストラップ歯３５の外周は、四分円の形状の凸部分４０をさらに有する。ストラップ歯３５はそれぞれ同等の、好ましくは同一の形状及び寸法を有する。ストラップ歯３５は互いに分離されて、隣接対の平坦部分３７が、平坦部分に垂直な方向に同等距離だけ、好ましくは同一距離だけ離れている。
【００１８】
ケーブルタイ１０は、ストラップ１５の基端部２０から延出した基部４４を有する一体型ヘッド４２を備え、それにより、ストラップ歯３５の平坦部分３７が基部４４に面する。ヘッド４２は、対向する入口及び出口端部５０、５２を備えた通路４７を有し、それにより、ストラップ１５は入口端部から通路に挿入され、出口端部を通って通路から出ることができる。通路４７は、中心面３０上に含まれる長手方向中心軸５５を有する。
【００１９】
ヘッド４２は、基部４４の主部分４５の内側面にたわみ可能に連結された爪５７を有し、それにより、爪は通路４７に隣接している。ストラップ１５を、中心軸２７、２９を中心にしてねじることなく、横方向に変形させ、それによってストラップの一部分がループ状になり、自由端部１７が入口端部５０から通路に挿入されるとき、爪５７がストラップ歯３５に面するように、爪５７が通路４７に対して配置されている。ストラップ１５がねじれない結果、主グリップ面３３の基端部２０及び出口端部５２間の部分全体が中心面３０に垂直になる。代替として、ストラップ１５を中心軸２７、２９中心に正確な回転数だけねじり、それによって通路４７内のストラップ歯３５が爪歯６７に面するようにすることができる。
【００２０】
爪５７は、図６及び図７に示された初期ロック位置６０に付勢されて、そこから図８に示された挿入位置６１に移動可能である。爪５７の移動は、爪５７を基部４４の主部分４５に連結する縮小断面積のネック部分６２によって行われる。ネック部分６２により、爪５７がネック部分を通る横軸を中心にして回動する。付勢力は、十分な弾力性を有するヘッド４２の材料によって与えられる。
【００２１】
爪５７はさらに、初期ロック位置６０から図９に示された補足ロック位置６３に移動可能であり、そこへ初期位置からそのように移動できるように付勢される。爪５７のこの移動は、ネック部分６２を通る横軸を中心にしたそれの回動によって実現される。付勢力は、十分な弾力性を有するヘッド４２の材料によって与えられる。
【００２２】
爪５７は、通路４７の側部の一部分を画定するグリップ面６４を有する。基部４４は、グリップ面６４によって画定される側部に対向する通路４７の側部を画定する内側支持面６６を備えた補助部分６５を有する。
【００２３】
１対の爪歯６７がグリップ面６４から延出して、爪が初期ロック位置６０にあるとき、各爪歯が通路４７内に入る。爪５７が挿入位置６１にあるとき、各爪歯６７は通路４７から退去している。爪歯６７の数は、単一の爪歯ほどの少ないものから多数のそのような爪歯まで変化させることができる。
【００２４】
各爪歯６７は、爪５７が初期ロック位置６０にあるときに通路４７の中心軸５５に垂直である平坦部分７０を有する外周によって画定される横断面を有する。各爪歯６７の外周は、正弦波の一部分の形状の凸部分７２をさらに有する。爪歯６７はそれぞれ同等の、好ましくは同一の形状及び寸法を有する。
【００２５】
爪５７が初期ロック位置６０にあるとき、爪歯の平坦部分７０が出口端部５２に面するように、各爪歯６７の通路４７に対する向きが定められている。爪歯６７は互いに分離して、平坦部分７０間の、平坦部分７０に垂直な方向の距離が、ストラップ歯３５の隣接対の平坦部分３７間の距離と同等であり、好ましくは同一である。
【００２６】
グリップ面６４は、爪歯６７の、出口端部５２に最も近い平坦部分７０及び出口端部５２間に凹部分７５を有する。凹部分７５は、ストラップ歯３５の凸部分４０の曲率に対応する曲率を有する。
【００２７】
爪５７はヒール７７を有し、爪が初期ロック位置６０から補足ロック位置６３へ移動するとき、ヒールの一部分が基部４４の主部分４５に係合する位置へ移動し、それによって、補足ロック位置を超える爪の移動を阻止する。
【００２８】
ケーブルタイ１０は一群の細長い物品を、最初に物品を互いにほぼ平行な関係に、その間の横方向隙間を狭くして並べることによって結束するために使用される。次に、ストラップ１５を束の周囲に横向きに置いて、物品の周囲に巻き付け、それにより、ストラップを横方向に変形させて、ストラップの一部分がループ状になり、ストラップ１５の中心軸２７、２９が中心面３０に含まれるようにする。好ましくは、ストラップ１５を中心軸２７、２９中心にねじらない。
【００２９】
ストラップ１５の自由端部１７をヘッド４２内の通路４７の入口端部５０付近に位置させて、主グリップ面３２及び爪５７のグリップ面６４を互いに向き合わせる。ストラップ１５の自由端部１７を入口端部５０から通路４７内に挿入して、それぞれの中心軸２９、５５をほぼ一致させる。
【００３０】
ストラップ１５を通路４７内へ十分に挿入する結果、自由端部１７が出口端部５２から出る。それにより、横突起３１、３２は、ユーザが把持するのに使用可能になり、それにより、ストラップ１５を通路４７内でその出口端部５２に向けてさらに引っ張り、物品束を取り囲むストラップのループ部分の寸法を縮めて、それを締め付けることができる。
【００３１】
挿入を十分に継続すると、自由端部１７に最も近いストラップ歯３５の凸部分４０が、入口端部５０に最も近い爪歯６７の凸部分７２に係合する。凸部分４０、７２の表面間の接触は、凸部分４０、７２のそれぞれの曲率のために接線的である。したがって、互いに接触する凸部分４０、７２の表面積は細長く、中心面３０とほぼ直角である。
【００３２】
ストラップ１５を通路４７内へ挿入し続ける結果、ストラップ歯３５及び爪歯６７のそれぞれの凸部分４０、７２が互いに接しながら滑る。そのような滑り接触は、通路４７内へのストラップ１５のそのような挿入に対して摩擦抵抗を生じる。そのような摩擦抵抗は、凸部分４０、７２間の、限定的な接触表面積を可能にする接線接触によって制限される。
【００３３】
ストラップ１５を通路４７内へさらに挿入することにより、爪が基部４４の主部分４５につながる部分を中心にして爪５７が回動運動する。ストラップ１５のそのような挿入が十分である場合、爪５７が挿入位置６１に回動し、その位置では、ストラップ歯３５の平坦部分３７が、長手方向において爪歯６７の平坦部分７０及び通路４７の出口端部５２の間の位置にある。次に、付勢力が爪５７を回動させて初期ロック位置６０に戻し、その位置では、ストラップ歯３５及び爪歯６７のそれぞれの平坦部分３７、７０が互いに当接して、それによってストラップ１５が通路４７を通って入口端部５０に向かう方向に後退することを阻止する。
【００３４】
ストラップ１５は、通路４７内を出口端部５２に向かう方向に、それぞれの中心軸２７、５５がほぼ一致し続けるようにして、さらに挿入してもよい。そのように挿入し続ける結果、ストラップ歯３５が通路４７内を長手方向に並進し、ストラップ１５の自由端部１７に最も近いストラップ歯３５の凸部分４０と、出口端部５２に最も近い爪歯６７の凸部分７２とが係合するであろう。この係合と同時に、次のストラップ歯３５の凸部分４０が入口端部５０に最も近い爪歯６７の凸部分７２に係合する。ストラップ１５をさらに挿入すると、爪５７が挿入位置６１へ回動し、初期ロック位置６０へ回動して戻り、また、自由端部１７に最も近いストラップ歯３５及び入口端部５０に最も近い爪歯６７間の係合について本明細書で上述したようにして、ストラップ及び爪の歯３５、６７の対応の平坦部分３７、７０が当接するであろう。
【００３５】
ストラップ１５は、通路４７内で出口端部５２に向けてさらに挿入されるであろう。そのようにストラップ１５をさらに挿入する結果として、対応のストラップ歯３５の隣接対の凸部分４０が対応の爪歯６７の凸部分７２に連続的に係合するであろう。これに続いて、爪５７が挿入位置６１へ回動し、初期ロック位置６０へ回動して戻り、また、１対のストラップ歯及び１対の爪歯間の初期係合について本明細書で上述したようにして、ストラップ及び爪の歯３５、６７の対応の平坦部分３７、７０が当接するであろう。ストラップ１５を通路４７内へそのようにさらに挿入するさらなる結果として、細長い物品を結束するストラップのループ部分がさらに小さくなり、それによってケーブルタイ１０を物品の周囲に締め付ける。また、ストラップ１５を通路４７内へさらに挿入する結果として、自由端部１７が出口端部５２を通って通路から出るであろう。
【００３６】
ストラップ及び爪の歯３５、６７のそれぞれの平坦部分３７、７０間の係合により、ストラップ１５が通路４７内で出口端部５２に向かう方向に後退することが阻止される。この阻止は、ストラップ歯３５の平坦部分３７及び爪歯６７の平坦部分の長手方向間隔が同等であることによって容易になる。この同等の長手方向間隔により、各爪歯６７の平坦部分７０及びストラップ歯３５の平坦部分３７の同時係合が可能になる。したがって、２対のストラップ歯及び爪歯３５、６７によるストラップ１５の後退の同時阻止が行われる。
【００３７】
ストラップ１５が通路４７内を通って後退することに対するさらなる抵抗が、爪５７が初期ロック位置６０から補足ロック位置６３に回動することによって与えられる。爪５７の補足ロック位置６３へのこの移動は、ストラップ歯３５を長手方向に引く後退力をストラップ１５に加えて、爪歯６７を出口端部５２の方に当接させることによって生じる。これにより、爪５７がそれに対応してネック部分６２を通る横軸を中心にして回動し、その結果として、爪歯６７の凸部分７２及び爪５７の凹部分７５が、対向するストラップ歯３５の凸部分４０に強制的に係合する。これにより、ストラップ１５の補助グリップ面３４がヘッド４２の支持面６６に強制的に係合し、これは、支持面に対する末端部分の長手方向変位に対する摩擦抵抗を生じ、その結果、末端部分のヘッドからの後退がさらに阻止される。
【００３８】
凹凸部分４０、７２間の係合は、爪５７及びストラップ１５の主グリップ面３２間の接触表面積を増加させる。これは、補助グリップ面３４が支持面６６上によりきちんと（square）着座すること、及びストラップ１５を支持面に押し付ける力をそれに対して垂直な向きにすることを容易にする。これは、補助グリップ面３４を支持面６６に押し付けるほぼ最大力を可能にし、それにより、補助グリップ面及び支持面間の変位に抵抗するほぼ最大の摩擦力をその間に生じる。
【００３９】
爪５７が初期ロック位置６０から補足ロック位置６３の方へ回動することにより、爪５７のヒール７７が基部４４の主部分４５の方へ移動する。爪５７が補足ロック位置６３に到達するとき、ヒール７７の一部分が基部４４の主部分４５に係合し、これによって、爪５７が補足ロック位置６３を超えてさらに回動することが阻止される。
【００４０】
一定の好適な実施形態を参照することによって本発明を説明してきたが、上記の本発明の概念の精神及び範囲内で多くの変化を加えることができることを理解されたい。したがって、本発明は、開示された実施形態に制限されることはなく、添付の特許請求の範囲の表現によって許可される全範囲を有するものとする。
【図面の簡単な説明】
【００４１】
【図１】ヘッド及びストラップを示す本発明のケーブルタイの上面図である。
【図２】図１のケーブルタイの側面図である。
【図３】ストラップ上の歯を示す、図１のケーブルタイの底面図である。
【図４】ストラップ及び爪の両方に設けられた歯を示す、図１の４−４線で示された平面での断面図である。
【図５】ケーブルタイが一群の細長い物品の周囲に巻き付けられ、爪が初期ロック位置に示されている、図１の５−５線で示された平面での断面図である。
【図６】ヘッド及びストラップの一部分を示し、また、爪が初期ロック位置に示されている、図５の一部分の拡大図である。
【図７】爪が初期ロック位置に示されている、図６のヘッド及びストラップの一部分の拡大斜視図である。
【図８】爪が挿入位置に示されている点を除いて、図７に対応する図である、本発明のケーブルタイのヘッド及びストラップの一部分を示す図である。
【図９】爪が補足ロック位置に示されている点を除いて、図７に対応する図である、本発明のケーブルタイのヘッド及びストラップの一部分を示す図である。
【図１】
2005187070.tif 000003
【図２】
2005187070.tif 000004
【図３】
2005187070.tif 000005
【図４】
2005187070.tif 000006
【図５】
2005187070.tif 000007
【図６】
2005187070.tif 000008
【図７】
2005187070.tif 000009
【図８】
2005187070.tif 000010
【図９】
2005187070.tif 000011
【外国語明細書】
2005187070.tif 000012
2005187070.tif 000013
2005187070.tif 000014
2005187070.tif 000015
2005187070.tif 000016
2005187070.tif 000017
2005187070.tif 000018
2005187070.tif 000019
2005187070.tif 000020
2005187070.tif 000021
2005187070.tif 000022
2005187070.tif 000023
2005187070.tif 000024
2005187070.tif 000025
2005187070.tif 000026
2005187070.tif 000027
2005187070.tif 000028
2005187070.tif 000029
2005187070.tif 000030
2005187070.tif 000031
2005187070.tif 000032
2005187070.tif 000033
2005187070.tif 000034
2005187070.tif 000035
2005187070.tif 000036
2005187070.tif 000037
2005187070.tif 000038
2005187070.tif 000039